(57)【要約】【課題】介護用では使用中のベットから人やマットを入浴等で他のベットや台車に移し替える、又シングルベットから容易にダブルベットにできる方法を可能とした。【解決手段】本発明は、ベットサイズを櫛状に等間隔に間を開けたキャスター付台（１）とその櫛状の間隔の間に入る、櫛状のキャスター付台（２）とがあり、その台（１）とその台（２）を双方向により交差させてかみ合わせ、その上にマットかふとんを敷いて１セットとし、ベットとして利用。途中、このベットより移し替える必要が生じた時、その櫛状の等間隔のその台（２）のみを人とマットを適宜高さに押し上げ、その台（２）を手前に引けば人とマットはその台（１）よりスムーズに離すことができ、これとは逆に操作すれば元の位置に収納でき、容易に移し替えや移動ができる又、シングルをダブルベットと容易にできる構造を特徴とする、双方向交差式移動ベットを提供するものである。【選択図】図１
2005230424.tif 000002
【特許請求の範囲】
【請求項１】
ベットサイズで一部複数の回転ローラーを施し、櫛状に等間隔に間を開けたキャスター付台（１）と、その櫛状の間隔の間に入る櫛状のキャスター付台（２）とがあり、その台（１）とその台（２）を双方向より交差させてかみ合わせ、その上にマットか布団を敷いて1セットとし、ベットとして利用、途中、人やマットを掃除や入浴の為、このベットより移し替える必要が生じた時、その櫛状の等間隔のその台（２）のみを電動か手動かを選び、人とマットを適宜高さに押し上げ、その台（２）を手前に引けば人とマットは、その台（１）よりスムーズに離すことができ、これとは逆にその台（２）に乗せたままその台（１）に交差させ、押し上げた高さを下げれば、元の位置に収納でき人の手か特別の引き上げ装置を使用することなく、ベットからベットへと容易に移し替えや移動ができる構造を特徴とする。双方向交差式移動ベッド。
【請求項２】
櫛状の等間隔に間を開けたキャスター付台（２）の手動での押し上げには、独自考案の手押し揚げゲートを使用。電動式が使えない時、弱小者にも容易に上下ができ、加えて４本のキャスター付支柱の2本は必要に応じ左右に折れ曲がることができ、狭い場所でも使用しやすい、シングル・ダブルベット兼用構造を特徴とする。請求項１に記載する双方向交差式移動ベット。
【発明の詳細な説明】
【技術分野】
【０００１】
本発明は、ベットサイズで一部回転ローラーを施し、櫛状に等間隔に間を開けたキャスター付台（１）とその櫛状の等間隔の間に入るキャスター付台（２）とを交差させ、その台（２）に装着された上下装置を使用。その上にある人や物を特殊な装置を使用する事なく、容易に出し入れが可能にし、シングル・ダブルベット兼用の双方向交差式移動ベットに関するものである。
【背景技術】
【０００２】
人と物が移動しやすいベットで、最近は高さが低い作りや、ベット自体が電動により折れ曲がる構造、ロボット的作動により高低がしやすい物が出回っており、更にはベットの上に特殊なマットを敷いて人や物を引き寄せて手前の台車に移し替える方法がなされている。
【０００３】
清掃か入浴の為に、使用中のベットより他のベットか台車に移し替える必要があり、現在までの電動低床ベットでも完全な移動を自動化されてるものはなく、更に敷マットも別途車台が必要で、体の大きい人や重い物については２人以上が必要で1人ですべてできない欠点があった。
【０００４】
従来のベットは急を要する時や、付き添い人が寝る時にシングルベットを容易にダブルベットにはできない欠点があり、今後の日本や国外においても老人が増加する為、介護される人は多くなるが、少子化と介護料金の高額化により介護する人が少なく、多くの介護者を少人数で見る必要や、家庭内での介護も必要となり、介護する人も高齢となれば今のベットではかなりの重労働は避けられない問題が生じる。
【０００５】
この改善策として、いろいろと低床式の電動モーター入りの上・下電動式のベットが開発されているが、まだ１人で完全に出来る装置は開発されていない。
【特許文献１】特開２００２−５８７０９号公報
【特許文献２】特開２００２−１４３２３１号公報
【特許文献３】特開２００２−２０９９５６号公報
【特許文献４】特開２００２−２２４１７１号公報
【特許文献５】特開２００１−１９８１６５号公報
【特許文献６】実開５−３５１３０公報
【発明の開示】
【発明が解決しようとする課題】
【０００６】
従来の技術には次の様な欠点があった。
動力力手動においても使用中のベットより他のベットか台に人や物を移し替える装置として、女性か子供でも容易に操作できる介護ベットはない。
従来の方法では、シングルベットを引き延ばしてダブルベット、両方に使用できるデザイン・機能・操作に富んだものはない。
介護され人の重量、又は病状の重い人・手術直後の病人等、更には全く体が動かない人といろいろであり、それらの万人の介護に向く介護ベットの製作が困難であった。
使用される場所・病院や一般家庭の部屋の狭い場所での利用でも使用可能な耐久性あるベットがない。
本発明は、これらの欠点を解決するためになされたものである。
【課題を解決するための手段】
【０００７】
請求項１の発明は、ベットサイズで一部複数の回転ローラーを施し、櫛状に等間隔に間を開けたキャスター付台（１）とその櫛状の間隔の間に入る櫛状のキャスター付台（２）とがあり、その台（１）とその台（２）を双方向より交差させてかみ合わせ、その上にマットか布団を敷いて１セットとし、ベットとして利用、途中、人やマットを掃除や入浴の為、このベットより移し替える必要が生じた時、その櫛状の等間隔のその台（２）のみを電動か手動かを選び、人とマットを適宜高さに押し上げ、その台（２）を手前に引けば人とマットはその台（１）よりスムーズに離すことができ、これとは逆にその台（２）に乗せたままその台（１）に交差させ、押し上げた高さを下げれば元の位置に収納でき、人の手か特別の引き上げ装置を使用することなく、ベットからベットへと容易に移し替えや移動ができる構造を特徴とする。双方向交差式移動ベットを提供するものである。
【０００８】
請求項２の発明は櫛状の等間隔に間を開けたキャスター付台（２）の手動での押し上げには独自考案の手押し揚げゲートを使用、電動式が使えない時、弱少者にも容易に左右に折れ曲がることができ、狭い場所でも使用しやすいシングル・ダブルベット兼用構造を特徴とする。請求項１に記載する双方向交差式移動ベットを提供するものである。
【発明の効果】
【０００９】
本発明の双方向交差式移動ベットは（１）電動か手動でも若少者でも操作が簡単にできる。（２）デザイン・機能を使用スタイルで従来品に勝れている。（３）使用する人や物の重量・病状の重い人・手術直後で安静を要する人・全く体が動かない人など万人に使用できる。（４）病院や一般家庭の狭い場所でもキャスターが変換でき、使用でき耐久性もある。（５）一部ローラー付で、双方向交差式となっており、シングルベットから片方を引き離すことで自由サイズのダブルベットができ、利用幅が大幅にアップする。以上の様な利点がある。
【発明を実施するための最良の形態】
【００１０】
以下、本発明の実施の形態について説明する。
櫛状に入るもう一方の長方形の板状を少し大きめにカットし並べたキャスター付の台（２）とがあり、その台（１）とその台（２）を双方より交差させ、その台（２）の等間隔に並べた板状を上下に操作する事により、その台（１）とその台（２）の上にある物を若少者の力で、出し入れと移動でき加えてその台（１）とその台（２）を自由に移動させる事で、シングルベットからダブルベットへと兼も容易に可能な構造が、複雑な操作をする事なく実現した。
【００１１】
一実施例を図面で説明する。
図１はシングルベットの姿図で、１が大マット、２はパイプ手すりで３はキャスター付その台（１）、４はキャスター付その台（２）である。５はその台（２）の手すりで６は電動油圧モーター、６の２は電気差し込みソケットで電源がない時には手動ゲート７で、下に押せば大マット１が上に３〜５センチあがる。
【００１２】
図２は、キャスター付台（１）３とキャスター付台（２）の４とを手前に引き、小マット９を引き出して使用状態のダブルベットの姿図である。
【００１３】
図３は大マット・１を除いた骨材組の状態図で、キャスター付台（１）とキャスター付台（２）を双方から交差させて収納した状態である。１０はパイプローラーで、物を全体に乗せれば回り、足や手のみパイプに乗せても下に当たり回転しない安全性にも重視した作りである。
【００１４】
図４は、キャスター付台（１）３とキャスター付台（２）４を引き離した分離状態図で、１１が櫛状板（小）で等間隔に並べられ、パイプローラー１０は奥の方にあって上の物を手前に引く時、引きやすい様になっている。その台（２）の１２の櫛状板（大）の方がその台（１）の櫛状の板より高さが高いのは、マットや人を上に押し上げる為のもので高さは適宜サイズであるが、一応３０〜５０mmが良い。
【００１５】
図５は正面図で７の手動ゲートを下に押し下げれば、その台（２）４の櫛状板（大）１２が上に３０〜５０mmあがり、人やマットを上にあげることができる。
２・３・７・４は、１・２・３の通りである。
【００１６】
図６は上から見た平面図で、その台（１）３とその台（２）４の櫛状板の双方向の配列がわかる。図６の２・１０・７は図１・２と同じである。
【００１７】
図７は底面図で、小マット９は小マット収納ケース兼用支柱１５に収納されている。３・４・７・１０は図１・２・３と同じである。
【００１８】
図８は左側面図で３・６・６の２は図１・２の通りである。
【００１９】
図９はダブルベット平面図で３のキャスター付台（１）と４のキャスター付台（２）を双方から少しダブルようにして、２つの台を離しダブルベット状にした骨組みの平面図で、容易にシングルをダブルベットにして使用できる。
【００２０】
図１０はＡ−Ａの断面図で、１０のパイプローラーが左上にあり、１１の櫛状板（小）に半分、櫛状板（大）が少し重なっており、この分が手押しゲートか油圧モーターにより上に上がる。
【００２１】
図１１はＡ−Ａの拡大展開図で、１０のパイプローラーが櫛状板（小）の上に少し浮いて施し、回転するようにした。足が乗れば下の板に当り回らない作りである。
【００２２】
図１２はＢ−Ｂの断面図で、その台（１）の３・１１は櫛状板（小）で１２は櫛状板（大）で配列がわかる。
【００２３】
図１３はモーターと手押し揚げゲートの展開図で、６の油圧モーターを使用するか、７の手押しゲートを下に押せば１のマットは上にあがる。
【００２４】
図１４はマットが上下する展開図で、上の図では１１の櫛状板（小）と櫛状板（大）１２の上にマット１がある。下の図のように横支柱１６と１２の櫛状板を同時に上にあげることにより、マット１が浮き上がる構造でこの状態で手前に引けば人とマットは４のその台（２）に移動し、逆にこの状態で元に戻して下げれば３のその台（１）に移動するシステムである。
以上の様に人やマットを使用中から別のベットへ移す事と、シングルベットからダブルベットへと容易に使用できる構造で、介護ベットや家庭内用・その他と利用が多い。
【産業上の利用可能性】
【００２５】
前述の通りのデザイン・機能・操作性・安全性とこれからの介護医療に欠かせないベットで、又ダブルベットにすぐ利用できる機能性は別の家具やテーブル・倉庫の棚等あらゆる収納庫にも応用ができ、産業上不可欠な用途に適用できる。
【図面の簡単な説明】
【００２６】
【図１】姿図（シングルベット）
【図２】姿図（ダブルベット）
【図３】骨組収納斜視展開図
【図４】分離状態図
【図５】正面図
【図６】平面図
【図７】底面図
【図８】左側面図
【図９】ダブルベット平面図
【図１０】Ａ−Ａ断面図
【図１１】Ａ−Ａ拡大展開図
【図１２】Ｂ−Ｂ断面図
【図１３】モーターと手押し揚げゲートの展開図
【図１４】マットが上下する展開図
【符号の説明】
【００２７】
大マット
パイプ手すり
キャスター付台（１）（その台１ともいう）
キャスター付台（２）（その台２ともいう）
小手すり
電動油圧モーター
６−２．ソケット（電気差込口）
手動ゲート
キャスター
小マット
パイプローラー
櫛状板（小）
櫛状板（大）
スイッチ
小マット収納口
小マット収納ケース兼用支柱
横支柱
【図１】
2005230424.tif 000003
【図２】
2005230424.tif 000004
【図３】
2005230424.tif 000005
【図４】
2005230424.tif 000006
【図５】
2005230424.tif 000007
【図６】
2005230424.tif 000008
【図７】
2005230424.tif 000009
【図８】
2005230424.tif 000010
【図９】
2005230424.tif 000011
【図１０】
2005230424.tif 000012
【図１１】
2005230424.tif 000013
【図１２】
2005230424.tif 000014
【図１３】
2005230424.tif 000015
【図１４】
2005230424.tif 000016